(57)【要約】      （修正有）【課題】タンクを大きくすることなく、エア溜まりによる排水量の低下を生じさせずに所定の排水量でオーバーフロー管からオーバーフローさせるオーバーフロー管アダプタを提供する。【解決手段】貯水タンク内に立設するオーバーフロー管３の上端に取付けるオーバーフロー管アダプタ４であって、中心を上下に貫通する通気孔４００を備えオーバーフロー管３内に嵌入する筒状嵌入部４００と、嵌入部４００上端に連結しオーバーフロー管３の上端で支持されるツバ部４１と、嵌入部４００外側面に螺旋状凹みで形成される螺旋水路４２と、ツバ部４１に形成されツバ部４１外面から進入し螺旋水路４２に連通する進入部４３とを備え、進入部４３から螺旋水路４２に進入した水をオーバーフロー管３内側面に沿って螺旋状に流下させ、オーバーフロー管３内中央を気体が通過可能とする、オーバーフロー管アダプタ４。【選択図】図２
2019218756.tif 000002
【特許請求の範囲】
【請求項１】
貯水タンク内に立設するオーバーフロー管の上端に取付けるオーバーフロー管アダプタであって、
中心を上下に貫通する通気孔を有し該オーバーフロー管内に嵌入する筒状の嵌入部と、該嵌入部の上端に連結し該オーバーフロー管の上端で支持されるツバ部と、該嵌入部の外側面に螺旋状凹みで形成される螺旋水路と、該ツバ部に形成され該ツバ部の外面から進入し該螺旋水路に連通する進入部と、を備え、
該進入部から該螺旋水路に進入した水を該オーバーフロー管の内側面に沿って螺旋状に流下させ、該オーバーフロー管内の中央を気体が通過可能とする、オーバーフロー管アダプタ。
【発明の詳細な説明】
【技術分野】
【０００１】
本発明は、貯水タンクに配設されたオーバーフロー管に取り付けるアダプタに関する。
【０００２】
貯水タンクは、該タンクに供給する水がタンクから溢れ出さないように、タンク内の水が所定の水位以上になったら水をオーバーフローさせるオーバーフロー管を該タンク内に立設している（例えば、特許文献１参照）。
【先行技術文献】
【特許文献】
【０００３】
【特許文献１】特開２００９−０９１８９１号公報
【発明の概要】
【０００４】
タンク内の水のオーバーフローは、オーバーフロー管の上端が排水口となり、排水口から水を管内に進入させ排水して、タンク内の水位が許容水位以上に上がらないようにしている。そして、オーバーフローする水は排水口の全周から管内に進入しているため、管内にエア溜まりが発生する場合があり、該エア溜まりのエアが管内から抜ける時に一瞬排水が停止し、一時的に排水量が低下してタンク内の水位が許容水位を超えてしまうという問題がある。
【０００５】
タンクから水を溢れさせなくするために、オーバーフロー管にエア溜まりが形成されないようにして所定の排水量を常に確保する必要があり、その対策として、オーバーフロー管の径を大きくする。しかし、タンクの容積がその分小さくなるので、必要なタンク内の容積を確保するためにタンク全体を大きくしなければならないという問題がある。
【０００６】
よって、タンクを大きくすることなく、かつ、エア溜まりによる排水量の低下を生じさせずに、オーバーフロー管から排水できる水の量をタンクから水を溢れさせなくするための量で常に確保して、貯水タンクの水をオーバーフローさせることができるようにするという課題がある。
【課題を解決するための手段】
【０００７】
上記課題を解決するための本発明は、貯水タンク内に立設するオーバーフロー管の上端に取付けるオーバーフロー管アダプタであって、中心を上下に貫通する通気孔を有し該オーバーフロー管内に嵌入する筒状の嵌入部と、該嵌入部の上端に連結し該オーバーフロー管の上端で支持されるツバ部と、該嵌入部の外側面に螺旋状凹みで形成される螺旋水路と、該ツバ部に形成され該ツバ部の外面から進入し該螺旋水路に連通する進入部と、を備え、該進入部から該螺旋水路に進入した水を該オーバーフロー管の内側面に沿って螺旋状に流下させ、該オーバーフロー管内の中央を気体が通過可能とする、オーバーフロー管アダプタである。
【発明の効果】
【０００８】
貯水タンク内に立設するオーバーフロー管の上端に取付ける本発明に係るオーバーフロー管アダプタは、中心を上下に貫通する通気孔を有しオーバーフロー管内に嵌入する筒状の嵌入部と、嵌入部の上端に連結しオーバーフロー管の上端で支持されるツバ部と、嵌入部の外側面に螺旋状凹みで形成される螺旋水路と、ツバ部に形成されツバ部の外面から進入し螺旋水路に連通する進入部と、を備えているため、進入部から螺旋水路に進入した水をオーバーフロー管の内側面に沿って螺旋状に流下させ、オーバーフロー管内の中央を気体が通過可能とする。よって、排水時にオーバーフロー管内にエア溜まりが発生することを防ぐことで、一時的に排水量が減少する状況を防止して、常に所定の排水量でオーバーフロー管から水をオーバーフローさせることができる。
【図面の簡単な説明】
【０００９】
【図１】オーバーフロー管が配設された貯水タンクの一例を示す斜視図である。
【図２】オーバーフロー管アダプタが取り付けられたオーバーフロー管の一例を示す断面図である。
【図３】図３（Ａ）は、オーバーフロー管アダプタの一例を示す縦断面図である。図３（Ｂ）は、オーバーフロー管アダプタの一例を示す平面図である。
【図４】図４（Ａ）は、オーバーフロー管アダプタの別例を示す縦断面図である。図４（Ｂ）は、オーバーフロー管アダプタの別例を示す平面図である。
【発明を実施するための形態】
【００１０】
図１に示す貯水タンク１は、例えば、矩形状の底板１０と、底板１０の外周から一体的に＋Ｚ方向に立ち上がる側壁１１とからなり、底板１０と側壁１１とで囲まれた空間に水を溜めることができる。
貯水タンク１の開口上方には、貯水タンク１に水を供給する水供給手段２が配設されている。水供給手段２は、例えば、貯水タンク１内に水を供給する供給パイプ２０を備えており、供給パイプ２０は、ポンプ等からなる水供給源２１に開閉バルブ２２を介して連通している。
【００１１】
貯水タンク１内には、水供給手段２で供給した水が所定の水位以上になることを防止するオーバーフロー管３が、供給パイプ２０とずらして配設されている。オーバーフロー管３は、例えば、貯水タンク１の底板１０を貫通して垂直に立設しており、円筒状の外形を備えており、その下端側は、貯水タンク１外の図示しない排水路に連通している。
【００１２】
図１、２に示すようにオーバーフロー管３の上端には、本発明に係るオーバーフロー管アダプタ４が取り付けられている。オーバーフロー管アダプタ４の高さ位置は、貯水タンク１に設定する最大水位を基準に定められる。
図２、及び図３（Ａ）、（Ｂ）を用いて詳述するオーバーフロー管アダプタ４は、例えば、ステンレス等の金属、硬質プラスチック、又はゴム等で形成されており、中心を上下に貫通する通気孔４００を有しオーバーフロー管３内に嵌入する円筒状の嵌入部４０を備えている。該通気孔４００は、後述するツバ部４１の中心の貫通孔４１０につながっている。
【００１３】
嵌入部４０の上端には、嵌入部４０と一体的に連結し径方向外側に延出されるツバ部４１が形成されており、図２に示すように、嵌入部４０がオーバーフロー管３に嵌入されると、ツバ部４１はオーバーフロー管３の上端面で支持される。
【００１４】
図２、図３（Ａ）に示すように、嵌入部４０の外側面には螺旋状凹みで下方に延びる螺旋水路４２が、例えば、３本（一本のみ図示）形成されている。嵌入部４０の外側面を螺旋溝状に切り欠いてなる各螺旋水路４２は、その上端側が嵌入部４０の上端面において、また、その下端側が嵌入部４０の下端面において周方向に均等間隔を空けてそれぞれ開口している。また、３本の螺旋水路４２の向きは皆同方向となっている。
【００１５】
ツバ部４１は、例えば、ツバ部４１の外面（外側面）から中心側に向かって進むように丸い窪み状に切り欠かれており、該切欠き部分は螺旋水路４２の上端側に連通する進入部４３となる。また、ツバ部４１の中央には、嵌入部４０の通気孔４００とつながる貫通孔４１０が形成されている。進入部４３は、螺旋水路４２の本数に合わせて周方向に均等間隔を空けて３つ形成されている。なお、進入部４３の形状、並びに螺旋水路４２の本数及び進入部４３の個数については、図示の例に限定されるものではない。例えば、嵌入部４０の外側面において、３本の螺旋水路４２の中の１本に残りの２本の螺旋水路４２が合流し、該一本の螺旋水路４２の下端側が嵌入部４０の下端面において開口していてもよい。
【００１６】
図４（Ａ）、（Ｂ）に示すオーバーフロー管アダプタ４Ａは、図３（Ａ）、（Ｂ）に示すオーバーフロー管アダプタ４の別例である。オーバーフロー管アダプタ４Ａにおいては、嵌入部４０の外側面には螺旋状凹みで下方に延びる螺旋水路４４が、例えば、６本（２本のみ図示）形成されている。各螺旋水路４４は、その上端側が嵌入部４０の上端面において、また、その下端側が嵌入部４０の下端面において周方向に均等間隔を空けてそれぞれ開口している。また、６本の螺旋水路４４の向きは皆同方向となっている。
なお、例えば、嵌入部４０の外側面において、６本の螺旋水路４４の中の１本に残りの５本の螺旋水路４４が合流し、該一本の螺旋水路４４の下端側が嵌入部４０の下端面において開口していてもよい。
【００１７】
嵌入部４０と一体的に連結し径方向外側に延出されるツバ部４５には、例えば、ツバ部４５の外面（上面）から下面に向かって斜めに進むようにして、螺旋水路４４に連通する進入部４６が貫通形成されている。進入部４６は、螺旋水路４４の本数に合わせて周方向に均等間隔を空けて６つ形成されている。また、ツバ部４５の中央には、嵌入部４０の通気孔４００につながる貫通孔４５０が形成されている。
【００１８】
次に、図１に示す貯水タンク１内の水が、オーバーフロー管アダプタ４が取り付けられたオーバーフロー管３からオーバーフローする場合について説明する。
図１に示す開閉バルブ２２が開かれた状態で、水供給源２１から供給パイプ２０に対して水が供給され、供給パイプ２０から流出した水が貯水タンク１内に溜められていく。そして、貯水タンク１内の水の水面が貯水タンク１に設定する最大水位を超えると、オーバーフローした水が、図２に示すように、オーバーフロー管アダプタ４のツバ部４１に形成された各進入部４３から各螺旋水路４２に進入していく。
【００１９】
各螺旋水路４２に進入した水は、嵌入部４０の外側面を各螺旋水路４２に沿って流下することで、螺旋水路４２からオーバーフロー管３の内側面３１に流出した際に螺旋状に流下する流れとなっている。そして、螺旋状に流下する水はオーバーフロー管３の内側面３１に沿って押し付けられるようにさらに下方に流れていくため、オーバーフロー管３の中央に気体を通過可能とする排気路が形成される。
【００２０】
なお、オーバーフロー管３にオーバーフロー管アダプタ４の代わりに図４（Ａ）、（Ｂ）に示すオーバーフロー管アダプタ４Ａを取り付けている場合においても同様に、貯水タンク１内においてオーバーフローした水は、オーバーフロー管アダプタ４Ａのツバ部４５に形成された各進入部４６から各螺旋水路４４に進入し、螺旋水路４４を通過することで、オーバーフロー管３の内側面３１に流出した際に螺旋状に流下する流れとなっている。そのため、オーバーフロー管３の内側面３１に沿って水が螺旋状に流下することで、オーバーフロー管３の中央に気体を通過可能とする排気路が形成される。
【００２１】
例えば、従来のように、オーバーフロー管アダプタ４、又はオーバーフロー管アダプタ４Ａがオーバーフロー管３に取り付けられていないに場合には、オーバーフロー管３の上端全周から水がオーバーフロー管３内に流れ込み、管内にエア溜まりが形成されてしまい、該エア溜まりによってオーバーフロー管３内の水の流れが部分的に滞ってしまい、排水量の低下を招く場合がある。
【００２２】
一方、図１、２に示すように、オーバーフロー管３の上端に本発明に係るオーバーフロー管アダプタ４を取り付けていることで、ツバ部４１の進入部４３から螺旋水路４２に進入する水をオーバーフロー管３の内側面３１に沿って螺旋状に流下させ、オーバーフロー管３内の中央を気体が通過可能とする排気路を形成する。そして、排気路は嵌入部４０の通気孔４００に連通するため、排水時にオーバーフロー管３内のエアは、オーバーフロー管３外へ常に排気可能となる。よって、オーバーフロー管３内にエア溜まりが発生することを防ぐことで、一時的に排水量が減少する状況を防止し、常に所定の排水量でオーバーフロー管３から水をオーバーフローさせることができる。
また、既存のオーバーフロー管３に、工具不要又は簡単な工具を用いるだけでオーバーフロー管アダプタ４は取り付けすることができるため、容易に排気路を形成させ常に所定の排水量でオーバーフローさせることができる。
【００２３】
なお、本発明に係るオーバーフロー管アダプタ４、４Ａは上記の例に限定されるものではなく、また、添付図面に図示されている貯水タンク１やオーバーフロー管３等の各構成についても、これに限定されず、本発明の効果を発揮できる範囲内で適宜変更可能である。
【符号の説明】
【００２４】
１：貯水タンク
２：水供給手段  ２０：供給パイプ  ２１：水供給源  ２２：開閉バルブ
３：オーバーフロー管  ３１：オーバーフロー管の内側面
４：オーバーフロー管アダプタ  ４０：嵌入部  ４００：通気孔
４１：ツバ部  ４２：螺旋水路  ４３：進入部
４Ａ：オーバーフロー管アダプタ  ４４：螺旋水路  ４５：ツバ部  ４６：進入部
【図１】
2019218756.tif 000003
【図２】
2019218756.tif 000004
【図３】
2019218756.tif 000005
【図４】
2019218756.tif 000006